(57)【要約】【課題】できるだけ簡便な構造で、灰が受け皿の中へ落ち、かつ灰が舞い上がらず、灰の処理が容易な香立てを提供すること。【解決手段】香立てが、蓋部材と、受け皿とからなり、蓋部材は、上蓋面が外周辺から中央へ向けて下方へ傾斜しており、傾斜した上蓋面には、香立て用の孔が少なくとも一つ設けられ、上蓋面の中央部には、お香を燃やした場合に灰が落下する位置に、灰受け入れ用の開口が設けられており、受け皿には、蓋部材の開口に相当する位置に、開口へ向けて山状の突起が設けられていること。【選択図】図１
0003176465.tif 000002
【実用新案登録請求の範囲】
【請求項１】
蓋部材と、受け皿とからなり、
蓋部材は、
上蓋面が外周辺から中央へ向けて下方へ傾斜しており、
傾斜した上蓋面には、香立て用の孔が少なくとも一つ設けられ、
上蓋面の中央部には、お香を燃やした場合に灰が落下する位置に、灰受け入れ用の開口が設けられており、
受け皿には、蓋部材の開口に相当する位置に、開口へ向けて山状の突起が設けられていることを特徴とする灰の飛散を防止可能な香立て。
【請求項２】
香立て及び開口が、略楕円形であり、その長軸上に香立て用の孔が設けられていることを特徴とする請求項１に記載の灰の飛散を防止可能な香立て。
【請求項３】
香立て及び開口の長軸が同じ位置にあることを特徴とする請求項２に記載の灰の飛散を防止可能な香立て。
【請求項４】
受け皿に、香立て用の孔から挿入されたお香を差し込み固定するための凹部が設けられていることを特徴とする請求項１から３のいずれか１項に記載の灰の飛散を防止可能な香立て。
【考案の詳細な説明】
【技術分野】
【０００１】
本考案は、香立てに関する。さらに詳しくは、灰の飛散を防止可能な、スティック状のお香を立てて焚くための香立てに関する。
【背景技術】
【０００２】
お香とは、燃焼によって発散された香りを楽しむものであり、もとは仏教に由来するが、現在では、アロマオイルなど練りこんでいるものも多くあり、アロマテラピーのような捉え方でストレス解消、芳香、消臭、安眠、心身のバランス調整などを目的として幅広く用いられている。
【０００３】
お香には大きく分類するとスティックタイプとコーンタイプがあり、スティックタイプは見た目が棒状で、燃え尽きる時間はおよそ10〜20分のものが多い。
【０００４】
このようなスティックタイプのお香を使用するためには、香立てが必要になる。しかし、上述のようにアロマテラピーのような捉え方で使用する場合には、通常１本使用すれば十分なので、例えば特許文献１に記載されているような、仏壇において灰の中に立てる形式の香立ては一般的には使用されず、インテリア的にも凝ったものが使用される。
【０００５】
しかしながら、このように灰の中に立てない形式の香立においては、燃焼後の灰の処理が問題となる。すなわち、平坦な受け皿の上に灰が落ちる形式のものや蓋がないものは、灰が舞い上がり飛散しやすい。さらに、燃焼中に灰が香立ての外に落ちることがあれば、火災などの問題も生じ得る。
【先行技術文献】
【特許文献】
【０００６】
【特許文献１】特開２００７−２１９２７９号公報
【考案の概要】
【考案が解決しようとする課題】
【０００７】
そこで、本考案は、できるだけ簡便な構造で、灰が受け皿の中へ落ち、かつ灰が舞い上がらず、飛散を防止することが出来、灰の処理が容易な香立てを提供することを目的とする。
【課題を解決するための手段】
【０００８】
上記目的を達成するため、本考案の香立ては、蓋部材と、受け皿とからなり、
蓋部材は、
上蓋面が外周辺から中央へ向けて下方へ傾斜しており、
傾斜した上蓋面には、香立て用の孔が少なくとも一つ設けられ、
上蓋面の中央部には、お香を燃やした場合に灰が落下する位置に、灰受け入れ用の開口が設けられており、
受け皿には、蓋部材の開口に相当する位置に、開口へ向けて山状の突起が設けられていることからなる。
また、香立て及び開口が、略楕円形であり、その長軸上に香立て用の孔が設けられていること、香立て及び開口の長軸が同じ位置にあることが好適である。
また、お香を燃やした場合に灰が落下する位置に、山状の突起の最高部又は斜面が位置することが好適である。
また、受け皿に、香立て用の孔から挿入されたお香を差し込み固定するための凹部が設けられていることが好適である。
【０００９】
本考案においては、香立ては、蓋部材と受け皿から構成される。
そして、蓋部材の上蓋面は周囲から中央へ向けて下方へ傾斜している。別の言い方をすると、上蓋面は中央へ向けて斜めに落ちていく形状をしている。そして、この傾斜した上蓋面には、香立て用の孔が少なくとも一つ設けられている。この構成によることで、香を立てた時には、香は鉛直線上に直立するのではなく、香立ての中央へ向けて傾斜して立てられることになる。
上蓋面の中央部には、この傾斜して立てられたお香を燃やした場合に灰が落下する位置に、灰受け入れ用の開口が設けられている。したがって、お香を燃やすと、自動的に開口へ向けて灰が落下する構成となっている。ただし、本考案においては、お香を最後まで燃やした場合、必ず最後まで灰が開口に落ちるという趣旨ではない。お香を最後まで燃やした場合には、根本に近い部分の灰は上蓋面に残る可能性があるものの、上蓋面は中央へ向けて傾斜しているため、より開口に灰が落ちやすいという構成になっている。
【００１０】
一方、受け皿には、蓋部材の開口に相当する位置に、開口へ向けて山状の突起が設けられていることからなる。言い換えれば、蓋部材を重ねた時に、上から見て開口と重なる位置に、山状の突起が設けられている。この構成により、お香から落ちた灰は、開口を通って山状の突起に当たり、突起の斜面から受け皿の底部に落ちる。灰が底部に落ちると、蓋部材の上蓋面と山状の突起に覆われるような状態となるため、香立てを動かしたり運んだりしても、容易に灰が舞い上がることはない。したがって、灰がたまった後は、灰を飛散させることなく、蓋部材を外して、受け皿にたまっている灰を捨てることができる。
さらに、受け皿には、香立て用の孔から挿入されたお香を差し込み固定するための凹部が設けられることで、お香はぶれることなく固定され、より確実に灰を開口内に落とすことが可能となる。
【００１１】
また、お香を燃やした場合に灰が落下する位置に、山状の突起の最高部又は斜面が位置することで、より灰が底部に落ちやすくなり、またデザイン的にも好適である。また、最高部は、上蓋面の開口の下辺と同じ高さまたはそれより下方に位置することで、より灰が底部に落ちやすくなり好適である。突起の先端は、尖っていても、丸みを帯びていてもよいが、鋭い方が好ましい。
【００１２】
さらに、香立て及び開口が、略楕円形であり、その長軸上に香立て用の孔が設けられていることが好適である。なお、香立て及び開口の楕円の長軸の位置は、ほぼ一致していることが好ましい。このような構成にすることにより、スペースの省略化を十分に図ることができる。すなわち、この構成によれば、お香は楕円の長軸に沿って燃えていくことになるので、香立て及び開口の楕円の短軸に大きな径を必要としないからである。なお、ここで略楕円としたのは、香立て及び開口は幾何学的に完全な楕円である必要はなく、円が潰れたような形状や、細長い略円形状、長方形に近い形状などであっても、上記の効果を達成することができるからである。
【考案の効果】
【００１３】
本考案の以上の構成により、できるだけ簡便な構造で、灰が受け皿の中へ落ち、かつ灰が舞い上がらず、灰の処理が容易な香立てを提供することが出来る。さらに、デザイン的にも良好で、無駄なスペースを排除した香立てを提供することが出来る。
【図面の簡単な説明】
【００１４】
【図１】本考案の香立てを示す斜視図である。
【図２】本考案の香立てを示す平面図である。
【図３】本考案の香立ての受け皿を示す平面図である。
【図４】図２におけるＡ−Ａ’断面を示す図である。
【図５】図２におけるＢ−Ｂ’断面を示す図である。
【考案を実施するための形態】
【００１５】
以下、図面に従って本考案の実施の一例を説明する。
図１は、本考案の香立てを示す斜視図であり、図２は、本考案の香立てを示す平面図であり、図３は、本考案の香立ての受け皿を示す平面図である。そして、図４は、図２におけるＡ−Ａ’断面を示す図であり、図５は、図２におけるＢ−Ｂ’断面を示す図である。
【００１６】
長径110mm，短径50mmの楕円形で高さ20mmの香立て１は、蓋部材２と受け皿３から構成されている。蓋部材２の上蓋面４は周囲から中央へ向けて下方へ傾斜している。そして、この傾斜した上蓋面４には、香立て用の孔５，５’が、２箇所設けられている。なお、お香１０の径が異なる場合に応じて、香立て用の孔５，５’の径はそれぞれ2.5mm，3.5mmとしている。この構成によることで、香１０を立てた時、お香１０は直立するのではなく、香立て１の中央へ向けて傾斜する。上蓋面３の中央部には、この傾斜して立てられたお香１０を燃やした場合に灰が落下する位置に、灰受け入れ用の楕円形の開口６が設けられている。したがって、お香１０を燃やすと、自動的に開口６へ向けて灰が落下する構成となっている。さらに、香立て１及び開口６の楕円は、長軸７の位置が重なって（共通して）おり、長軸７上に香立て用の孔４が設けられている。短軸８は径が50mmとなっており、このように細い楕円状であったとしても、灰は長軸７上に落ちていくので本考案の目的を達成することが可能で、コンパクトな形状にまとめることができる。
【００１７】
一方、受け皿３には、蓋部材２の開口６に相当する位置に、開口６へ向けて山状の突起９が設けられている。山状の突起９の最高部は、長軸７に沿って位置している。
また、本実施例における開口６は長径75mm、短径15mmの楕円状であり、山状の突起９は、平面（上）から見ると、長径73mm，短径13mmの楕円状をしており、開口６内に収まって位置している。また、山状の突起９の高さは12mmで、開口６のとほぼ同じ高さまで張り出している。
さらに、お香１０が受け皿に設けられた凹部１１に差し込まれていることにより、お香１０はその位置がぶれたりすることがなく、より確実に灰を開口６内に落とすことが出来る。
【００１８】
お香１０から落ちた灰（図示せず）は、開口６を通って山状の突起９に当たり、山状の突起９の斜面から受け皿３の底部に落ちる。灰が受け皿３の底部に落ちると、蓋部材２の上蓋面４と山状の突起９に覆われるような状態となるため、香立て１を動かしたり運んだりしても、容易に灰が舞い上がることはない。したがって、灰がたまった後は、灰を飛散させることなく、蓋部材２を外して、受け皿３にたまっている灰を簡単に捨てることができる。
【符号の説明】
【００１９】
１    香立て
２    蓋部材
３    受け皿
４    上蓋面
５，５’  孔
６    開口
７    長軸
８    短軸
９    山状の突起
１０  お香
１１  凹部
【図１】
0003176465.tif 000003
【図２】
0003176465.tif 000004
【図３】
0003176465.tif 000005
【図４】
0003176465.tif 000006
【図５】
0003176465.tif 000007